(57)【要約】【課題】タッチスクリーンに用いられるタッチパネルにおいて、センサー感度などの性能を高く保ち、かつ、製造コストの上昇を抑えつつ、タッチ電極の各パッドがユーザーにより視認されにくくすることのできるものを提供する。【解決手段】第1方向（X方向）タッチ電極１Ａ、及び第2方向（Y方向）タッチ電極１Ｂを構成する各島状パッド１１には、縁部に矩形波状の切り込み１３が設けられる。この切り込みの幅Ｄ２及び間隔Ｄ６は、島状パッド１１同士の間隔Ｄ１に対応する。島状パッド１１は、少なくとも周辺部がメッシュパターン１５をなし、切り込み１３に対応する網目開口状の多数の抜き部１６を備える。【選択図】図２
2015148953.tif 000002
【特許請求の範囲】
【請求項１】
第１の方向に延びる第1方向タッチ電極と、これに交差して第２の方向に延びる第2方向タッチ電極とが、タッチスクリーン領域中に配列され、各タッチ電極が、複数の島状パッド部と、これら島状パッド部同士を直列に連結するブリッジ部とからなるタッチパネルにおいて、
各島状パッド部の縁部には、矩形波状の切り込みが設けられ、この切り込みの幅及び間隔は、隣り合う島状パッド部同士の間隔の0.5〜1.5倍であり、前記切り込みの深さは、隣り合う島状パッド部同士の間隔の1〜3.5倍であることを特徴とするタッチパネル。
【請求項２】
各島状パッド部は、少なくとも縁部の近傍で、メッシュパターンからなり、メッシュパターンをなす各抜き部の幅は、メッシュ線部の幅の0.25〜1.3倍であり、かつ、隣り合う島状パッド部同士の間隔の0.5〜1.5倍であることを特徴とする請求項１に記載のタッチパネル。
【請求項３】
メッシュパターンが、網目開口状の抜き部、または、スリット状の抜き部からなることを特徴とする請求項１または２に記載のタッチパネル。
【請求項４】
島状パッド部が、中央ベタ部と、これを取り囲むメッシュパターンからなることを特徴とする請求項２または３に記載のタッチパネル。
【発明の詳細な説明】
【技術分野】
【０００１】
本発明は、静電容量結合方式のタッチパネルに関する。特には、投射型静電容量方式（表面型以外の方式）のタッチパネルであって、タッチ電極が透明導電材料からなるものに関する。
【背景技術】
【０００２】
駅の券売機や銀行のATMなどで用いられていたタッチパネルは、近年、スマートフォンやタブレットPCの普及とともに広く用いられるようになって来ている。タッチパネルは、ディジタルカメラや携帯用ゲーム器などにも広く用いられている。
【０００３】
特に、タッチ電極が透明導電材料からなる投射型静電容量方式のタッチパネルは、透過率及び耐久性が高く、マルチタッチによる複雑な操作に対応できることから、スマートフォンやタブレットPCのタッチスクリーン用として人気を博している。投射型静電容量方式のタッチパネルは、第１の方向（X方向）に延びる第1方向タッチ電極が複数配列され、第１の方向（X方向）と交差する第2の方向（Y方向）に延びる第2方向タッチ電極が複数配列されてなる。指などの誘電体がタッチパネルの表面に接触または近接した際に、タッチ箇所での静電容量の変化を第1方向及び第2方向のタッチ電極により検出する（例えば、特許文献１参照）。
【０００４】
タッチパネルには、平面表示装置などの画像表示装置の表示面に取り付けられる「外付け型」の他、平面表示装置の表示パネルと一体に構成して軽量化及び薄型化を実現する「内蔵型」もある。「内蔵型」には、表示面の外面に設けるオン・セル（on-cell）型の他、平面表示装置の内部、特にはアレイ基板の内側の面に設けるイン・セル（in-cell）型もある。
【０００５】
タッチパネルが備え付けられる平面表示装置としては、アクティブマトリクス型の液晶表示装置、及び有機EL表示装置が最も代表的である。これらの平面表示装置は一般に、表示パネルと、その駆動系統とからなる。液晶表示パネルは、互いに組み合わされるアレイ基板及び対向基板と、これら基板間に挟持された液晶層とよりなる。また、有機ＥＬ表示装置は、典型的には、スイッチング素子が配列されたアレイ基板上に、有機ＥＬ膜を配置し、封止剤（フィル材）を挟んで対向基板を貼り付けて硬化させることで得られている。
【０００６】
静電容量結合方式、特には投射型静電容量方式のタッチパネルにおいては、検出感度を向上させるために、第1方向及び第2方向のタッチ電極を、それぞれ、ひし形などの島状パッド部と、これを連結するブリッジ部（導線部）とから構成する。そして、一般に、第1方向タッチ電極のパッド部と、第2方向タッチ電極のパッド部とが、重ならずに、互いに近接して配置されるように、電極パターンの設計が行われる。すなわち、平面図において、第1方向タッチ電極のパッド部と、これに隣り合う第2方向タッチ電極のパッド部ととは、比較的狭い間隔により隔てられている。
【０００７】
一方、透明電極材料を用いる代わりに、金属細線を用いて第1方向及び第2方向のタッチ電極を設けることも試みられている（例えば特許文献２〜３参照）。特許文献２では、「大面積にしても応答性に優れ、マルチタッチが可能」なもの（0004段落）とすべく、金属または導電ペーストなどによる導電性細線が格子状に配列されたメッシュパターン（図３〜５など）により、タッチ電極の各パッド部を設けることが提案されている。ここで、導電性細線の幅は「０．５μｍ以上１０μｍ以下」、「メッシュを構成する格子の1辺の長さは１００μｍ以上６００μｍ以下」が好ましいとしている（0034段落）。また、特許文献３では、「小型のタッチパネルにも利用可能で、利用者に見えにくい」（0008段落）ものとすべく、タッチ電極の各パッド部について、「非透明導電部材」としての細線をつづら折りの形に配置することにより設けることが提案されている。
【先行技術文献】
【特許文献】
【０００８】
【特許文献１】特開２０１３−０１６２０５
【特許文献２】特開２０１２−０７９２３８
【特許文献３】特開２０１０−２５６９８１
【発明の概要】
【発明が解決しようとする課題】
【０００９】
特許文献２〜３のように金属細線などでタッチ電極を設けるならば、タッチ電極の各パッド部の縁が見えてしまうという問題は、生じないと思われる。しかし、金属細線を用いた場合、金属色や光沢の問題を防ぐべく、金属細線のみを被覆する「黒化層」を配置する必要がある（特許文献２の0050〜0053段落）。そのため、金属スパッタリングまたは成膜、及びパターニングの工程が必要となり、それだけ製造コストを上昇させると考えられる。また、金属細線などにより被覆する率を高くすると、光透過率が低下してしまう。そのため、被覆率を高くできないことから、静電容量を大きくできず、センサー感度の向上には限界があると思われる。
【００１０】
本発明は、上記問題に鑑みなされたものであり、センサー感度などの性能を高く保ち、かつ、製造コストの上昇を抑えつつ、タッチ電極の各パッドがユーザーにより視認されにくくすることのできるタッチパネルを提供しようとするものである。
【課題を解決するための手段】
【００１１】
本発明の好ましい実施形態をなすタッチパネルは、タッチスクリーン領域中に、第１の方向（X方向）にそれぞれ延び、複数が配列される第1方向タッチ電極と、第１の方向（X方向）と交差する第2の方向（Y方向）にそれぞれ延び、複数が配列される第2方向タッチ電極とが備えられ、各タッチ電極は、複数の島状パッド部と、これら島状パッド部同士を直列に連結するブリッジ部とからなるタッチパネルにおいて、各島状パッド部の縁部には、矩形波状の切り込みが設けられ、この切り込みの幅及び間隔は、隣り合う島状パッド部同士の間隔の0.5〜1.5倍であり、前記切り込みの深さは、隣り合う島状パッド部同士の間隔の1〜3.5倍であることを特徴とする。
【００１２】
本発明の他の好ましい実施形態をなすタッチパネルは、タッチスクリーン領域中に、第１の方向（X方向）にそれぞれ延び、複数が配列される第1方向タッチ電極と、第１の方向（X方向）と交差する第2の方向（Y方向）にそれぞれ延び、複数が配列される第2方向タッチ電極とが備えられ、各タッチ電極は、複数の島状パッド部と、これら島状パッド部同士を直列に連結するブリッジ部とからなるタッチパネルにおいて、各島状パッド部は、少なくとも縁部の近傍で、メッシュパターンからなり、メッシュパターンをなす各抜き部の幅は、メッシュ線部の幅の0.25〜1.3倍であり、かつ、隣り合う島状パッド部同士の間隔の0.5〜1.5倍であることを特徴とする。
【発明の効果】
【００１３】
製造コストの上昇やセンサー感度の低下をほとんど招くことなしに、タッチ電極の各パッドがユーザーにより視認されにくくすることができる。
【図面の簡単な説明】
【００１４】
【図１】本発明の一実施形態になるタッチパネルの要部をなす、タッチ電極のパターンを示す平面図である。
【図２】図１に示すタッチ電極における一つの島状パターン及びこれに連続する部分を示す平面図である。
【図３】図１〜２に示すタッチパネルの積層構造の一例を示す模式的な積層断面図である。
【図４】島状パターンについての第1の変形例を示す、図２に対応する平面図である。
【図５】島状パターンについての第2の変形例を示す、図２に対応する平面図である。
【発明を実施するための形態】
【００１５】
一の好ましい実施形態において、タッチ電極の各島状パッドは、菱（ひし）形もしくは矩形、または、六角形その他の多角形をなし、島状パッド間の間隔は、ほぼ一定であり、例えば、最も広い箇所の幅が、最も狭い箇所の幅の2倍以下、好ましくは1.7倍以下、より好ましくは1.5倍以下、特には1.3倍以下である。また、島状パッド間の間隔は、通常50〜1000μm、好ましくは100〜500μm、より好ましくは150〜300μmであり、通常、島状パッドの幅（短径）の1/200〜1/5、特には1/100〜1/10、例えば1/50〜1/15である。
【００１６】
好ましい実施形態において、矩形波状の切り込みの奥行き（深さ）は、島状パッド間の間隔または切り込みの幅の0.8〜4倍、好ましくは1〜3.5倍、好ましくは1.3〜3倍、例えば1.5〜2.5倍である。隣り合う切り込み同士の間隔は、好ましくは、切り込みの幅の0.5〜1.5倍、より好ましくは0.8〜1.3倍である。切り込みの幅及び間隔は、島状パッドの縁に沿って進むに連れて、徐々に変化するのであっても良い。また、矩形波状の切り込みは、かならずしも矩形である必要がなく、上記の幅の範囲である限り台形状であってもよく、角部が丸まったものであっても良い。
【００１７】
好ましい実施形態において、タッチ電極の各島状パッド内に、網目開口状またはスリット状の抜き部が配列されることで、一種のメッシュパターンが形成される。好ましい実施形態において、メッシュパターンは、各島状パッドにおける、少なくとも周辺部の全体、すなわち、全周にわたって周縁に沿った箇所に設けられる。一の好ましい実施形態において、メッシュパターンをなす抜き部の幅は、メッシュ線部の幅の0.25〜1.3倍、好ましくは0.5〜1.1倍であり、また、隣り合う島状パッド部同士の間隔の0.5〜1.5倍、好ましくは0.8〜1.3倍である。また、他の一の好ましい実施形態において、メッシュパターンをなす抜き部の幅は、切り込みの幅の0.5〜1.5倍、より好ましくは0.8〜1.3倍である。
【００１８】
このメッシュパターンは、メッシュ線部が碁盤目状に配列されてなる網目格子状のものでも良く、また、メッシュ線部が縞状に配列された縞状の格子をなすものであっても良い。すなわち、メッシュパターンは、網目開口状の抜き部が、一の辺に沿った方向、及び、この隣の辺に沿った方向に、縦横に配列されたものであっても良く、また、スリット状の抜き部が、近接する辺などに平行に延びるように配列されたものであっても良い。各島状パッドの内部に抜き部を設ける場合も、各島状パッドの中央部は、ベタパターンとすることができる。この場合、島状パッド中における中央部のベタパターンの面積割合（抜き部及び切り込みを除外した正味の電極面積の割合）を、例えば、5〜70％、特には10〜50％とすることができる。
【００１９】
タッチパネルが、画像表示装置の画像表示面に備え付けられるタッチスクリーンである場合、タッチ電極は、ITO(Indium Tin Oxide)、IZO(Indium Zinc Oxide)などの透明導電材料から形成される。一般には、スパッタリングなどによる成膜の後、フォトリソグラフィーを用いたパターニングにより、所定の電極パターンが形成される。タッチパネルは、前述のように、「外付け型」の他、オン・セル（on-cell）型やイン・セル（in-cell）型による「内蔵型」であっても、全く同様である。「外付け型」の場合、表示パネルとは別個の透明絶縁基板上にタッチ電極が形成される。タッチ電極は、第１の方向（X方向）に延びる第1方向タッチ電極と、第2の方向（Y方向）に延びる第2方向タッチ電極とが、絶縁膜を介して、別個の層に設けられるのであっても良く、また、同一の層に、同時に形成されるのであっても良い。同一の層に形成される場合、例えば、第2方向タッチ電極のブリッジ部は、別の層の導電パターンにより設けて、コンタクトホールにより、第2方向タッチ電極の島状パターンと電気的に接続させることができる。
【００２０】
一具体例において、各島状パッドは、正方形であり、その一辺の長さが1〜10mm、特には1.5〜8mm、例えば2〜6mmである。また、島状パッド間の間隔、切り込みの幅、及びメッシュ線部の幅が、いずれも50〜1000μm、例えば100〜500μmである。一の好ましい具体例において、島状パッド間の間隔、各切り込みの幅、及び各メッシュ線部の幅は、互いに、ほぼ等しい。すなわち、各切り込みの幅、及び各メッシュ線部の幅は、いずれも、島状パッド間の間隔の0.8〜1.2倍、特には0.9〜1.1倍である。
【００２１】
本発明の一実施形態になるタッチパネルについて、図１〜３を用いて説明する。図１〜２には、タッチ電極のパターンを示し、図３には、タッチパネルの積層構造の例を示す。
【００２２】
図１に示すように、タッチ電極パターン１は、図の横方向（X方向）にそれぞれ延びる複数の第1方向タッチ電極１Ａと、図の縦方向（Y方向）にそれぞれ延びる複数の第2方向タッチ電極１Ｂとからなる。これらタッチ電極１Ａ，１Ｂは、いずれも、一列に配列される複数の島状パターン１１と、隣り合う島状パターン１１同士を連結するブリッジ部１２からなる。すなわち、各タッチ電極１Ａ，１Ｂは、島状パターン１１が、短いブリッジ部１２により、数珠（じゅず）状につなぎ合わされた形態を有しており、第1方向タッチ電極１Ａの各島状パターン１１は、第2方向タッチ電極１Ｂの４つの島状パターン１１により囲まれている。第2方向タッチ電極１Ｂの各島状パターン１１も同様である。図示の例において、各島状パターン１１が正方形であり、ブリッジ部１２が正方形の頂点同士を結ぶ。そのため、タッチ電極パターン１をなす島状パターン１１は、全体として碁盤のマス目状に配列されており、各正方形の２つの対角線が、図の横方向（X方向）及び縦方向（Y方向）に延びている。なお、この横方向（X方向）及び縦方向（Y方向）が、それぞれ、タッチパネル１０の横方向及び縦方向に対応する。
【００２３】
図１〜２中に示すように、各島状パターン１１の縁部には、多数の切り込み１３が設けられている。具体的には、島状パターン１１の輪郭線が、実質上いずれの箇所においても、矩形波状をなしている。図示の具体例において、この切り込み１３の幅Ｄ２は、島状パターン１１同士の間隔Ｄ１と同一である。また、図示の例において、島状パターン１１同士の間隔Ｄ１が、いずれの箇所でも、一定または、ほぼ一定であるので、切り込み１３の幅Ｄ２も、一定または、ほぼ一定である。また、切り込み１３同士の間隔Ｄ６も、島状パターン１１同士の間隔Ｄ１及び切り込み１３の幅Ｄ２に、ほぼ等しい。一方、各切り込みの奥行きＤ５は、切り込み１３の幅の1.5〜2.5倍である。
【００２４】
また、各島状パターン１１の全体が、1つのメッシュパターン１５をなしており、島状パターン１１の内部に、網目開口状の抜き部１６が配列されている。この抜き部１６の幅（正方形の一辺の寸法）Ｄ３は、島状パターン１１同士の間隔Ｄ１及び切り込み１３の幅Ｄ２に、ほぼ等しい。なお、図示の具体例において、メッシュパターン１５は、直線状の同一の幅Ｄ４のメッシュ線部１４が、碁盤目状に組み合わされた形となっている。すなわち、島状パターン１１の正方形の一辺に沿った方向に延びる第1辺方向メッシュ線部１４Ａと、隣の辺に沿った方向に延びる第2辺方向メッシュ線部１４Ｂとが直交格子状に組み合わさった形となっている。そのため、このメッシュ線部１４の幅Ｄ４は、切り込み１３同士の間隔Ｄ６、及び網目開口状の抜き部１６の間隔に等しいこととなる。なお、一具体例において、島状パターン１１の正方形の一辺は、7mmであり、島状パターン１１同士の間隔Ｄ１及び切り込み１３の幅Ｄ２、並びに、メッシュ線部１４の幅Ｄ４は、いずれも、10μmである。
【００２５】
図３に示す積層構造の例においては、透明絶縁基板２上に、金属などによる配線が形成され、これを覆う平坦化膜としての樹脂絶縁膜３上に、ＩＴＯなどの透明導電材料によりタッチ電極パターン１が設けられている。但し、Ｘ方向ブリッジ部１２Ａは、透明絶縁基板２上に、金属などにより設けられ、コンタクトホールを介して、２つの島状パターン１１の尖端部に接続されている。タッチ電極パターン１の層は、ウレタンアクリレートなどの硬化性樹脂からなる強靭なカバー層４により被覆されている。なお、図示の実施形態において、タッチパネル１０は、表示パネル５とは別個に製造されて、表示パネル５の画像表示面に取り付けられる、「外付け型」のものである。図示の具体例で、表示パネル５は、バックライト６を備える透過型の液晶表示パネルであり、透明絶縁基板からなる対向基板５１及びアレイ基板５２が液晶層５３を挟んで貼り合わされている。
【００２６】
上記実施形態のタッチパネルであると、静電容量変化によるタッチの検出感度やその信頼性に何ら影響を与えることなく、透明導電材料からなる島状パターンの縁がユーザーにより視認されないようにすることができる。まず、島状パターンの縁部に、矩形波状に切り込みが設けられているため、透明導電材料による島状パターンの輪郭は、ぼやけて、かなり見えにくくなっている。また、これに加えて、島状パターンの内部に、網目状開口が、切り込みに合わせる形で配列されているため、外観上、切り込み、及び、島状パターン間の間隙の部分と、他の部分との差が、非常に小さくなっている。
【００２７】
なお、図示の具体例において、各島状パターンが配置される正方形（外側端を結んでいくことで得られる外接正方形）の領域中、切り込み及び抜き部の面積比率は、25〜30％であり、また、切り込み及び抜き部の幅が小さいため、島状パターンが有する静電容量には、ほとんど影響がなく、タッチ検出感度にも影響が全くないと考えられる。また、切り込みの奥行き（深さ）も小さいため、アンテナとなってノイズを発生することもない。
【００２８】
上記の実施形態では、切り込みが等間隔に配列されるものとして説明したが、正方形の頂点といった尖端部から遠ざかるにつれて、徐々に間隔が増大または減少するのであってもよく、また、増減を繰り返すのであってもよい。また、切り込み１３の幅Ｄ２についても、尖端部から遠ざかるにつれて、徐々に増大、減少、または増減するのであってもよい。また、網目開口状の抜き部１６は、正方形の他、例えばアスペクト比（長さ／幅）が3以内の、角が丸まった矩形、直方形、円形、楕円形などであってもよく、その短径または幅Ｄ３も、必ずしも一定でなくてもよい。例えば、島状パターン１１の縁部から島状パターンの中心へと向かうにつれて、網目開口の径が徐々に減少するようにすることもでき、また、網目開口の分布密度が徐々に減少するようにすることもできる。なお、図１〜２中では、島状パターン１１間の間隙を挟んで線対称をなすように、矩形波状の切り込み１３が配置されているが、より視認されにくくするためには、例えば、互い違いに配置するのが望ましいと考えられる。
【００２９】
図４〜５には、変形例のタッチパネルの要部を示す。ここでは、一つの島状パターンのみを示している。
【００３０】
図４に示す第1の変形例においては、島状パターン１１'の内部に、網目開口状の抜き部に代えて、スリット状の抜き部１７が配列されている。すなわち、島状パターン１１'の全体が、切りこみ１３及びスリット状の抜き部１７からなる一種のメッシュパターン１５'をなしている。詳しくは、切り込み１３より内側の正方形枠状のメッシュ線部１４より内側には、正方形の対角方向（Ｘ,Ｙ方向）に延びるメッシュ線部１４Ｃと、対角線により区切られた４つの各領域ごとに、近くの縁部と平行に延びる、縞状のメッシュ線部１４及びスリット状抜き部１７とからなる。
【００３１】
図示の具体例において、縞状のメッシュ線部１４及びスリット状抜き部１７は、対角方向（Ｘ,Ｙ方向）のメッシュ線部１４Ｃに交差するごとに直角に折れ曲がりつつ、島状パターン１１'の中心部から縁部へと渦巻状の一筆書き状に延びている。また、メッシュ線部１４の幅は、いずれの箇所でもほぼ一定であり、スリット状の抜き部１７の幅は、このメッシュ線部１４の幅と、ほぼ同一である。そのため、島状パターン１１が配置される正方形領域のうち、抜き部１７及び切り込み１３の面積割合は、40〜50％である。
【００３２】
図５に示す第2の変形例においては、島状パターン１１''は、抜き部を有しない中央ベタ部１８と、これ以外の領域をなすメッシュパターン１５''とからなる。このメッシュパターン１５''においても、対角線により４つに区切られる各領域ごとに、メッシュ線部１４及びスリット状抜き部１７が、近くの縁部に平行に、縞状に延びる。但し、各対角線に対して線対称となっており、縁部に平行に延びる各メッシュ線部１４は、対角方向（Ｘ,Ｙ方向）のメッシュ線部１４Ｃに交差するごとに直角に折れ曲がることで、1つの正方形をなすように延びている。
【００３３】
図示の具体例において、中央ベタ部１８は、正方形であり、島状パターン１１が配置される正方形と同心に、かつ同一の向きに配置される。中央ベタ部１８の寸法は、島状パターンが配置される正方形の領域についての対応する寸法の、１／４〜１／３である。また、島状パターン１１が配置される正方形領域のうち、抜き部１７及び切り込み１３の面積割合は、35〜45％である。
【００３４】
島状パターン１１の内部の抜き部について、図４〜５の変形例のように、縁部に平行のスリット部とする場合も、図１〜２のように網目開口状とする場合と、ほぼ同様の効果を得ることができる。上記の変形例の説明では、縁部に平行にスリットが延びるとしたが、傾斜して延びるのであってもよく、スリット状の抜き部と、網目開口状の抜き部とが備えられるのであってもよい。一方、図５の変形例に示す中央ベタ部１８を、図４の変形例や、図１〜２の実施形態の島状パターン中に設けることもできる。
【００３５】
なお、具体例の説明で、正方形の島状パターンを前提に説明を行ったが、ひし形、矩形、六角形なのど多角形の島状パターンにであっても、切り込み及び抜き部を同様のコンセプトで形成可能である。その際のメッシュ線部間もしくはスリット間の角度、及びメッシュパターンの頂点の角度は直角に限定するものではない。
【符号の説明】
【００３６】
１…タッチ電極パターン；  １Ａ…第1方向（X方向）タッチ電極；  
１Ｂ…第2方向（Y方向）タッチ電極；  １０…タッチパネル；    
１１…島状パターン；  １２…ブリッジ部；  １２Ａ…Ｘ方向ブリッジ部；  
１２Ｂ…Ｙ方向ブリッジ部；  １３…矩形波状の切り込み；  １４…メッシュ線部；  
１４Ａ…第1辺方向メッシュ線部；  １４Ｂ…第2辺方向メッシュ線部；  
１４Ｃ…対角方向（Ｘ,Ｙ方向）メッシュ線部；  １５…メッシュパターン；  
１６…網目開口状の抜き部；  １７…スリット状の抜き部；  １８…中央のベタ部；  
２…絶縁基板；  ３…樹脂絶縁膜；  ４…カバー層；  ５…液晶表示パネル；  
５１…対向基板；  ５２…アレイ基板；  ５３…液晶層；  ６…バックライト；
Ｄ１…島状パターン間の間隔；  Ｄ２…切り込みの幅；  Ｄ３…抜き部の幅（径）；  
Ｄ４…メッシュ線部の幅；  Ｄ５…切り込みの奥行き；  Ｄ６…切り込み同士の間隔
【図１】
2015148953.tif 000003
【図２】
2015148953.tif 000004
【図３】
2015148953.tif 000005
【図４】
2015148953.tif 000006
【図５】
2015148953.tif 000007